(57)【要約】      （修正有）【課題】意識障害があり、頭部の保持が難しい重症患者に座位の姿勢を取らせることができるようになる伏臥状態座位補助具を提供する。【解決手段】伏臥状態座位補助具１は、所定の高さを有する骨組部１０と、骨組部１０の上部に設けられた上半身前面側載置部２０と、骨組部１０に固定され上半身前面側載置部２０の側方に張り出す胴部固定部３０と、骨組部１０の下部に設けられ骨組部１０に収納可能なキャスター部４０よりなる。上半身前面側載置部２０には、口および鼻の周囲に通気間隔を有した弾力性のある顔面載置部５０が設けられる。【選択図】図１
0003187334.tif 000002
【実用新案登録請求の範囲】
【請求項１】
所定の高さを有する骨組部と、前記骨組部の上部に設けられた上半身前面側載置部と、前記骨組部に固定され前記上半身前面側載置部の側方に張り出す胴部固定部と、前記骨組部の下部に設けられ前記骨組部に収納可能なキャスター部よりなる伏臥状態座位補助具。
【請求項２】
前記上半身前面側載置部には、口および鼻の周囲に通気間隔を有した弾力性のある顔面載置部が設けられた、請求項１記載の伏臥状態座位補助具。
【請求項３】
前記上半身前面側載置部と前記胴部固定部が寝台の上部の寝るために供される面の一部を覆う状態で張り出すことが可能な骨組部を備える請求項１または請求項２記載の伏臥状態座位補助具。
【考案の詳細な説明】
【技術分野】
【０００１】
本考案は、意識障害があり、頭部の保持が難しい重症患者に座位の姿勢をとらせる伏臥状態座位補助具に関する。
【背景技術】
【０００２】
従来、人は、大怪我、重病、高齢等の原因で、仰臥位を長期間続けなければならない状態になること、所謂寝たきりになってしまった場合、骨が弱くなることや、筋力が低下する等の問題が生じることが知られていた。そして、この筋力、特に腹筋が弱くなった場合には、自力での排便がし難くなること、また、肺の動きが弱くなると、肺炎を引き起こす場合があることが知られていた。
【０００３】
そこで、大怪我、重病、高齢等の原因で安静にする必要がある患者となった場合でも、ある程度回復して医師が可能と判断した時点で、患者が寝たきりの状態にならないようにするため、患者自らが座位の姿勢を取れれば取り、患者自ら座位の姿勢を取り得ない場合でも、介助者や補助具等の力を借りて座位の姿勢を取ることが推奨されてきた。
【０００４】
そして、自ら座位を取る意志はあるが、筋力の低下等により座位の姿勢をとりづらく、支えがあれば座位の姿勢が取れるという人のために、特許文献１に示す「端座位補助座椅子」が開示されていた。
【０００５】
また、重症患者を治療する集中治療室（ＩＣＵ）で用いられる呼吸理学療法の分野においては、人工呼吸器を装着した重症患者が長期間仰臥位の状態で寝たきりになった場合に、重症患者の肺の下側（背側）に、重力により痰等の気道分泌液が貯留して無気肺が生じ、この無気肺で動脈血に酸素化されてない血液が流れ込む状態（シャント効果）が発生することで酸素化能が低下する症状、所謂、下側（背側）肺障害が起こる場合があった。この下側肺障害を防止する方法として、腹臥位等を取らせることにより貯留している気道分泌液を体外に排出させる、所謂、体位ドレナージ（体位排痰法）の考え方があった。
【先行技術文献】
【特許文献】
【０００６】
【特許文献１】特開平１０−５６９０９号公報
【考案の概要】
【考案が解決しようとする課題】
【０００７】
しかしながら従来の座位補助具では、座位の姿勢を取らせるにしても、意識のない等の重症患者の場合には、体各部を自分の意思で動かすことが難しいので、当然のことながら頭部を自らが支えることもできない場合があり、従来の座位補助具では、座位を取らせることは困難であるという問題があった。
【課題を解決するための手段】
【０００８】
上記の課題を解決するため、本考案では、次の技術的手段を講じている。
第１考案の伏臥状態座位補助具は、所定の高さを有する骨組部と、前記骨組部の上部に設けられた上半身前面側載置部と、前記骨組部に固定され前記上半身前面側載置部の側方に張り出す胴部固定部と、前記骨組部の下部に設けられ前記骨組部に収納可能なキャスター部よりなる。
第２考案の伏臥状態座位補助具は、請求項１記載の考案において、前記上半身前面側載置部には、口および鼻の周囲に通気間隔を有した弾力性のある顔面載置部が設けられている。
第３考案の伏臥状態座位補助具は、請求項１または請求項２記載の考案において、前記上半身前面側載置部と前記胴部固定部が寝台の上部の寝るために供される面の一部を覆う状態で張り出すことが可能な骨組部を備えている。
【考案の効果】
【０００９】
以上のような技術的手段を有することにより、以下の効果を有する。
第１考案によれば、所定の高さを有する骨組部と、前記骨組部の上部に設けられた上半身前面側載置部と、前記骨組部に固定され前記上半身前面側載置部の側方に張り出す胴部固定部を有することで、意識のない重症患者等で体の各部を自由に動かすことができず、頭部を自らが支えることもできない場合においても、座位の姿勢を取らせることが可能になる。なお、伏臥位からの方が、意識障害の改善に効果があると考えられる。これは、頸部や背筋という人体の構造上、仰臥の姿勢よりも伏臥の姿勢から頭部を起こす動作を取りやすいことによる。このことは、首の座ってない乳児が首を持ち上げる動作を始めるのは、仰臥の姿勢からではなく、伏臥の姿勢から始める事実を考えてみれば明白である。
さらには前記骨組部の下部に設けられ前記骨組部に収納可能なキャスター部を有することで、伏臥状態座位補助具の床面への安定した設置が可能であり、移動が必要な際には楽に移動できる効果を有する。
第２考案によれば、第１考案を利用し、上半身前面側載置部には、口および鼻の周囲に通気間隔を有した弾力性のある顔面載置部が設けられていることにより、意識がないなどにより体各部を自由に動かせず、頭部を自らが支えることもできない重症患者であっても、安全かつ楽な状態で座位の姿勢を取らせることができる。
第３考案によれば、第１考案または第２考案を利用し、前記上半身前面側載置部と前記胴部固定部が寝台の上部の寝るために供される面の一部を覆う状態で張り出すことが可能な骨組部を備えていることで、介助者が寝台に仰臥している重症患者を寝台の端に座らせて容易に座位の姿勢を取らせることができる。
【図面の簡単な説明】
【００１０】
【図１】本考案に係る第一の実施形態を説明するための、伏臥状態座位補助具の外観図である。
【図２】第一の実施形態の伏臥状態座位補助具の分解図である。
【図３】第一の実施形態の伏臥状態座位補助具のキャスター部の動作説明図である。
【図４】第一の実施形態の伏臥状態座位補助具の側方からの使用状態説明図である。
【図５】第一の実施形態の伏臥状態座位補助具の上方からの使用状態説明図である。
【図６】本考案に係る第二の実施形態の伏臥状態座位補助具の説明図である。
【図７】本考案に係る第三の実施形態の伏臥状態座位補助具の説明図である。
【図８】本考案に係る第四の実施形態の伏臥状態座位補助具の説明図である。
【考案を実施するための形態】
【００１１】
考案を実施する形態について、図面に基づいて具体的に説明する。
【実施例１】
【００１２】
（全体）
本考案の伏臥状態座位補助具１の外観について図１を用いて説明する。伏臥状態座位補助具１は、所定の高さを有する骨組部１０と、骨組部１０の上部に設けられた上半身前面側載置部２０と、骨組部１０に固定され上半身前面側載置部２０の側方に張り出す胴部固定部３０と、骨組部１０の下部に設けられ骨組部１０に収納可能なキャスター部４０と、上半身前面側載置部１０の上方に設けられた顔面載置部５０とで大凡構成されている。
【００１３】
図２は伏臥状態座位補助具１を分解した状態で説明する図であり、図２に基づいて骨組部１０、上半身前面側載置部２０、胴部固定部３０、キャスター部４０および顔面載置部５０の各々に分けて説明する。
【００１４】
（骨組部）
骨組部１０は、金属製の丸パイプを上面側に上側部材１１ａ、１１ｂ、１１ｃ、１１ｄとして配設し、側面側に側方部材１２ａ、１２ｂ、１２ｃ、１２ｄとして配設し、下面側に下側部材１３ａ、１３ｂ、１３ｃ、１３ｄとして配設して形成されている。上側部材１１ａと側方部材１２ａ、上側部材１１ｂと側方部材１２ｂは曲げ加工により「く」の字形状に曲げられており、上側部材１１ａと上側部材１１ｂの間に上側部材１１ｃ、１１ｄを橋渡しするように溶接して骨組部１０の上面が形成されている。下側部材１３ａ、１３ｂ、１３ｃは曲げ加工により「コ」の字形状に曲げられており、下側部材１３ａと下側部材１３ｃの間を橋渡しするように下側部材１３ｄを溶接して骨組部１０の下面が形成されている。曲げ加工された下側部材１３ａ、１３ｂ、１３ｃの曲げ部近傍に側方部材１２ａと側方部材１２ｂの曲げ加工のされてない側の端部を溶接し、上側部材１１ａと下側部材１３ａとの間を側方部材１２ｃで橋渡しをするように溶接し、上側部材１１ｂと下側部材１３ｃとの間を側方部材１２ｄで橋渡しをするように溶接することで骨組部１０の側面が形成されている。
【００１５】
なお、曲げ加工や溶接で形成された骨組部１０の上面及び下面については、上半身前面側載置部２０およびキャスター部４０との関係で平面が保てるように形成されている。これにより上半身前面側載置部２０を床面より約１メートル程度の高さに固定できるようにしている。伏臥状態座位補助具１の胴部固定部３０が寝台の上部の寝るために供される面の一部を覆う状態で張り出すことが可能なように、側方部材１２ｃ、１２ｄの溶接位置は側方部材１２ａ、１２ｂとの間隔を狭めて骨組部１０を側方から見ると「コ」の字形状に近い形に形成されている。上側部材１１ａ、１１ｂ、１１ｃ、１１ｄ、側方部材１２ａ、１２ｂ、１２ｃ、１２ｄ及び下側部材１３ａ、１３ｂ、１３ｃ、１３ｄを形成する金属製の丸パイプは上半身前面側載置部１０に加わる人の荷重を支えられるパイプ径、肉厚を選定しており、構造上、筋違等の補強材を適宜各所に追加することによっても丸パイプのパイプ径やパイプ肉厚を変えたものも可能である。また、構造材は金属製の丸パイプ以外でも木材、樹脂等のパイプや板材やこれら組み合わせて形成することもできる。
【００１６】
（上半身前面側載置部）
上半身前面側載置部２０は人間の上半身の前側を支える平板２１である。ほぼ四角形の形状であるが、人間の上半身が寄りかかる側には寄りかかり易い様にやや丸みを持った凹部２２が設けてあり、四角形の角は安全のために丸みを持たせたものとしている。上半身前面側載置部２０の広さは、人間の胸部より上の上半身及び両手を載せることができれば良く、好ましくは、幅５０センチメートル、奥行き５０センチメートル程度の広さがあれば良い。厚みについては、その材質による強度や骨組部１０の上側部材１１ａ、１１ｂ、１１ｃ、１１ｄで形成される支える側の広さとの関係により上半身の荷重に耐えられるだけの厚みを持たせている。
【００１７】
実施例においては、平板２１には樹脂の透明板を用いたものとしている。透明板としているのは、下側から上半身前面側載置部２０に載った重症患者等の顔を観察し易くするためである。なお、観察等を考慮しなければ、金属や木材としても良い。また、平板２１を樹脂性とした場合に一般的に原材料の調達上では、上面側は平坦なものとなるが、上半身前面側載置部２０としての機能を考えれば、上面側で紙に字を書く等の作等を想定してないので、多少の凸凹やすべり止め加工等を施したものを使用することもできる。
【００１８】
（胴部固定部）
胴部固定部３０は、固定金具３１ａ、３１ｂと、側板３２ａ、３２ｂと、背側ベルト３３と、前側ベルト３４とより成る。固定金具３１ａ、３１ｂは、骨組部１０の上側部材１１ｄの人間の上半身が寄りかかる側に４０〜５０センチメートルの間隔を開けて溶接されている。側板３２ａ、３２ｂは、一組の固定金具３１ａ、３１ｂのそれぞれに軸支され、やや内側に湾曲し周囲をスポンジ状の緩衝剤を巻きつけられている。背側ベルト３３は、幅５〜１０センチメートル程度の厚みのある布や皮等で、側板３２ａ、３２ｂのそれぞれの自由端側に設けられたベルト通し孔に、輪状に通されている。前側ベルト３４は幅５〜１０センチメートル程度の厚みのある布や皮等で、固定金具３１ａ、３１ｂの上側部材１１１ｄとの溶接個所の近傍に設けられたベルト通し孔に、輪状に通されている。背側ベルト３３と前側ベルト３４のそれぞれの自由端には面ファスナー３５、３６が貼り付けてあり、背側ベルト３３と前側ベルト３４のそれぞれの輪状の長さが調節できるようになっている。
【００１９】
胴部固定部３０は人の胴部を上半身前面側載置部２０の側面から離れないように固定するものであり、人の胴部の周囲の長さは体格により様々であるので、ある程度自由に調整が可能なように面ファスナー２５、２６により長さ調整が可能な様にし、面ファスナー３５は胴部固定部３０を人の胴に取り付けまたは取り外す際に用いられる。面ファスナー３５、３６の具体的な脱着が可能となる構造については、一方の背側ベルト３３の自由端付近に面ファスナー３５のループ側を取り付け、他方の背側ベル３３の自由端付近に面ファスナー３５のフック（鉤）側をとりつけるものである。前側ベルト３４と面ファスナー３６についても同様なものとなる。
【００２０】
なお、面ファスナー３５、３６以外の方法としては、例えば、バックル（ピンバックル、ダブルピンバックル、布ベルト用バックル、リング・リボンベルト用バックル等）のベルトの留め金により、ベルト固定部に固定されて無い側の自由端を取り付けてベルトの長さ調節を自在にする方法も可能である。また、背側ベルト３３と前側ベルト３４のそれぞれを輪状にするのではなく、それぞれの一端を側板３２ａ、３２ｂまたは固定金具３１ａ、３１ｂに固定し、背側ベルト３３と前側ベルト３４が二重になるのではなく、一重とする方法でも良い。
【００２１】
（キャスター部）
キャスター部４０は、車輪式、コロ式やボール方式等の移動手段の上部を金属製の金具で固定されたキャスター４１ａ、４１ｂ、４１ｃ、４１ｄと、金属製の丸棒であるキャスター固定軸４２ａ、４２ｂと、軸受金具４３ａ、４３ｂ、４３ｃ、４３ｄと、金属板よりなるスライド枠４４と、取っ手の付いた金属板よりなる取手付きスライド板４５と、両端に孔を有する金属板よりなる上側リンク４６ａ、４６ｂと、ボルトとナットよりなるジョイント４７ａ、４７ｂと、両端に孔を有する金属板よりなる下側リンク４８ａ、４８ｂとで構成されている。なお、図２において、上側リンク４６ｂ、ジョイント４７ｂ、下側リンク４８ｂは符号を付してないが、上側リンク４６ａ、ジョイント４７ａ、下側リンク４８ａ線対象の位置の部分となる。
【００２２】
キャスター部４０の各部の関係およびキャスター４１ａ、４１ｂ、４１ｃ、４１ｄが骨組部１０の内側に収納可能な動作について図３を用いて説明する。図３の（ａ）はキャスター４１ａ、４１ｂ、４１ｃ、４１ｄが骨組部１０の下側部材１３ａ、１３ｂ、１３ｃ、１３ｄで形成される下面より下側に出た状態を示している。図３の（ｂ）はキャスター４１ａ、４１ｂ、４１ｃ、４１ｄがキャスター固定軸４２ａ、４２ｂを回転軸として、互いに内側方向に回転し骨組部１０の下側部材１３ａ、１３ｂ、１３ｃ、１３ｄで形成される下面より上側に上がった状態を示している。なお、図３の（ａ）と（ｂ）においては、下側部材１３ｂでキャスター４１ｂ、４１ｃは一部しか見えないため、キャスター４１ｃ側の下側部材１３ｂの左半分を破線にしてキャスター４１ｃが見えるようにして表している。
【００２３】
図３において、キャスター４１ｂとキャスター固定軸４２ａ、キャスター４１ｃとキャスター固定軸４２ｂは溶接により固定されている。なお、図示されてないが、奥方向においてキャスター４１ａとキャスター固定軸４２ａ、キャスター４１ｄとキャスター固定軸４２ｂも溶接されている。軸受金具４３ｂは側方部材１２ａに、軸受金具４３ｃは側方部材１２ｂに溶接されている。なお、図示されてないが軸受金具４３ａは側方部材１２ｃに、軸受金具４３ｄは側方部材１２ｄにも溶接されている。キャスター固定軸４２ａは軸受金具４３ａ、４３ｂにより回動自在に軸支され、キャスター固定軸４２ｂは軸受金具４３ｃ、４３ｄに回動自在に軸支されている。下側リンク４８ａの下端とキャスター固定軸４２ａは溶接されており、下側リンク４８ａの上端と上側リンク４６ａの下端はボルトとナットより成るジョイント４７ａにより回動自在に取り付けられている。上側リンク４６ａの上端は取手付きスライド板４５の下側付近でボルトとナットにより回動自在に取り付けられている。同様に下側リンク４８ｂの下端とキャスター固定軸４２ｂは溶接されており、下側リンク４８ｂの上端と上側リンク４６ｂの下端はボルトとナットより成るジョイント４７ｂにより回動自在に取り付けられている。上側リンク４６ｂの上端は、上側リンク４６ａの上端と共に取手付きスライド板４５の下側付近でボルトとナットにより回動自在に取り付けられている。
【００２４】
スライド枠４４は略「Ｔ」の字形状であり、上側の横方向の板が上方から見ると「コ」の字に曲げられており、曲げられた両端部が、側方部材１２ａと側方部材１２ｂにそれぞれ溶接して固定されている。スライド枠４４の縦方向の板は中央部に縦方向の長孔が開けられており、長穴の最上部は右方向に短かく曲がる長孔と繋がっている。取手付きスライド板４５は伏臥状態座位補助具１の外側に取っ手を備えており、スライド枠４４に接する面側の取手付きスライド板４５の両端近傍付近には２本の先端に雄ネジを有するピンが取り付けられており、ピンは伏臥状態座位補助具１の内側に向かって突き出している。取手付きスライド板４５に取り付けられた２本のピンの先端にはナットが止められており、取手付きスライド板４５はスライド枠４４から脱落することなく、取手付きスライド板４５に取り付けられたピンがスライド枠４４に開けられた逆「Ｌ」字状の長孔に規制されること逆「Ｌ」字状の長孔に沿って摺動する。
【００２５】
図３の（ａ）において、取手付きスライド板４５に取り付けられた上側のピンはスライド枠４４の逆「Ｌ」字状の長孔の横孔に引っかかった状態となることで、上側リンク４６ａ、４６ｂ下側リンク４８ａ、４８ｂが上方に引き上げられ、下側リンク４８ａ、４８ｂは伏臥状態座位補助具１の内側に倒れこむように回転する。下側リンク４８ａ、４８ｂに溶接されているキャスター固定軸４２ａ、４２ｂも下側方向に回転して、キャスター固定軸４２ａ、４２ｂに溶接されているキャスター４１ａ、４１ｂ、４１ｃ、４１ｄも下側方向に回転して骨組部１０の下側部材１３ａ、１３ｂ、１３ｃ、１３ｄで形成される下面より下側に出た状態となる。この状態の伏臥状態座位補助具１はキャスター４１ａ、４１ｂ、４１ｃ、４１ｄにより簡単に移動が可能となる。
【００２６】
図３の（ｂ）において、取手付きスライド板４５に取り付けられた上側のピンはスライド枠４４の逆「Ｌ」字状の長孔の横孔から外れると取手付きスライド板４５は下側方向に動くことができ、取手付きスライド板４５に回動自在に取り付けられた上側リンク４６ａ、４６ｂが下側に動くことで、下側リンク４８ａ、４８ｂを伏臥状態座位補助具１の両側面にむかって押し出し、下側リンク４８ａ、４８ｂは伏臥状態座位補助具１の外側に引き起こされる様に回転する。下側リンク４８ａ、４８ｂに溶接されたキャスター固定軸４２ａ、４２ｂも上側方向に回転して、キャスター固定軸４２ａ、４２ｂに溶接されているキャスター４１ａ、４１ｂ、４１ｃ、４１ｄも上側方向に回転して骨組部１０の下側部材１３ａ、１３ｂ、１３ｃ、１３ｄで形成される下面より上側に収納された状態となる。この状態の伏臥状態座位補助具１は骨組部１０の下側部材１３ａ、１３ｂ、１３ｃ、１３ｄで形成される下面が床面に直接設置されることになるので、伏臥状態座位補助具１は床面に対して摩擦が働き簡単に動くことがない安定した状態となっている。
【００２７】
（顔面載置部）
顔面載置部５０は、意識のない人の顔面、胸部、手を載せたり、支えたりするための部分である。意識のない人が顔面、胸部、手を長時間載せたり、支えたりする場合が想定されるため、顔等の一部分に集中的に荷重が加わることにより血行不良等の障害が発生することを防止するために、顔面、胸部、手の荷重を分散して支えられるよう弾性のある部材、例えばウレタン、スポンジ等クッション材を主な素材としている。その外側は、耐久性や衛生面を考慮して、耐久性があり表面の消毒が容易な素材、例えばビニールシートや合成皮革等で覆ったクッション本体５１よりなる。クッション本体５１の略中央部には、顔面が顔面載置部４０に正対して覆い被さった場合に、鼻や口の部分を塞がないようにする「Ｕ」の字状の切欠き部５１が設けられている。
【００２８】
伏臥状態座位補助具１の使用例を図４および図５を用いて説明する。図４は伏臥状態座位補助具１の側方から見た図であり、寝台７に人６が腰かけて顔面載置部５０に伏し、顔面載置部５０に腕を回して体を支えている状態を示している。人６の顔面を頭頂方向に向かって所定の角度で上る形態で受けるように顔面載置部５０の顔面が接する側を伏臥する人６の胸部側から約３０〜４５度の角度で上るような角度を設けている。この角度を設けることにで、頭を持ち上げた座位の姿勢を取ることが可能となるので、胸部の圧迫が少なくなり、楽な姿勢を保つことができる。寝台７の高さと人６の脚の長さは一定ではないので、調節する必要がある場合は踏み台８を用いる。図５は伏臥状態座位補助具１の上方から見た図であり、顔面載置部５０に人６が伏せた状態を点線で表している。図４及び図５で示す様に、意識のない重症患者で体の各部を動かすことができず、頭部を自らが支えることもできない場合においても、胴部を支えて座位の姿勢を取らせることが可能となっている。
【実施例２】
【００２９】
図６は実施例２の伏臥状態座位補助具２を説明しており、伏臥状態座位補助具２は伏臥状態座位補助具１の顔面載置部５０を備えてない場合の例である。伏臥状態座位補助具２においては顔面載置部５０を使用せずに、適当な既存の枕やクッション等を顔面載置部５０に代えて使用する場合である。その他の部分は実施例１と同様であるので同じ符号を附して説明を省略する。
【実施例３】
【００３０】
図７は実施例３の伏臥状態座位補助具３を説明しており、実施例１の伏臥状態座位補助具１との違いは、顔面載置５０を顔面載置部６０に代えた場合の例である。
【００３１】
伏臥状態座位補助具１の顔面載置部５０においては、人６の顔面を頭頂方向に向かって所定の角度で上るようにしている。一方、伏臥状態座位補助具３の顔面載置部６０においては、人６の顔面をほぼ平面の状態で受けるようにしている。クッション本体６１には、人６が正対して覆い被さった場合に、鼻や口の部分を塞がないようにする「Ｕ」の字状の切欠き部６２が設けられている。顔面載置部６０は、顔面載置部５０に比較して平坦な形状で、簡単な加工により成型することができる。その他の部分は実施例１と同様であるので同じ符号を附して説明を省略する。
【実施例４】
【００３２】
図８は実施例４の伏臥状態座位補助具４を説明しており、実施例１の伏臥状態座位補助具１では顔面載置部５０の側で人６の顔面を頭頂方向に向かって所定の角度をつけているが、伏臥状態座位補助具４では、骨組部１０ａの上側部材１１ａ、１１ｂを床面と並行にするのではなく、人６が伏せる側より頭頂方向に向かって所定の角度設けた場合の例である。
【００３３】
実施例４の場合には上半身前面側載置部２０の平板２１には透明板を用いたものとすれば、実施例１に比較してより容易に上半身前面側載置部２０に載った重症患者等である人６の顔を観察し易くすることができる。その他の部分は実施例１と同様であるので同じ符号を附して説明を省略する。
【符号の説明】
【００３４】
１、２、３、４：伏臥状態座位補助具
６：人
７：寝台
８：踏み台
１０、１０ａ：骨組部
１１ａ、１１ｂ、１１ｃ、１１ｄ：上側部材
１２ａ、１２ｂ、１２ｃ、１２ｄ：側方部材
１３ａ、１３ｂ、１３ｃ、１３ｄ：下側部材
２０：上半身前面側載置部
２１：平板
２２：凹部
３０：胴部固定部
３１ａ、３１ｂ：固定金具
３２ａ、３２ｂ：側板
３３：背側ベルト
３４：前側ベルト
３５、３６：面ファスナー
４０：キャスター部
４１ａ、４１ｂ、４１ｃ、４１ｄ：キャスター
４２ａ、４２ｂ：キャスター固定軸
４３ａ、４３ｂ、４３ｃ、４３ｄ：軸受金具
４４：スライド枠
４５：取手付きスライド板
４６ａ、４６ｂ：上側リンク
４７ａ、４７ｂ：ジョイント
４８ａ、４８ｂ：下側リンク
５０、６０：顔面載置部
５１、６１：クッション本体
５２、６２：切欠き部
【図１】
0003187334.tif 000003
【図２】
0003187334.tif 000004
【図３】
0003187334.tif 000005
【図４】
0003187334.tif 000006
【図５】
0003187334.tif 000007
【図６】
0003187334.tif 000008
【図７】
0003187334.tif 000009
【図８】
0003187334.tif 000010